(57)【要約】【課題】  入隅に設けた窓サッシに好適な物干し金具の固定構造を提供する。【解決手段】入隅１の一側面１１に設けられた窓サッシ３の一側辺３１が、入隅構造柱１０に沿う入隅１において、窓サッシ３の一側辺３１に物干し金具２を固定する構造であって、入隅構造柱１０から入隅１の他側面１２側に所定距離を隔てた位置に柱１３が設けられ、柱１３には、窓サッシ３の一側辺３１前方に位置するように入隅１の一側面１１方向に沿って延出する物干し金具２の固定用プレート４が設けられ、入隅１基端部から固定用プレート４の基端部までの間に防水カバー５が設けられ、入隅１の他側面１２側には防水カバー５の部位が切りかかれた切欠部６１を有するサイディング材６が設けられ、防水カバー５と切欠部６１との間がシール剤７で処理されてなるものである。【選択図】  図１
2005110900.tif 000002
【特許請求の範囲】
【請求項１】
入隅の一側面に設けられた窓サッシの一側辺が、入隅構造柱に沿うようになされた入隅において、窓サッシの一側辺に物干し金具を固定する構造であって、
入隅構造柱から入隅の他側面側に所定距離を隔てた位置に柱が設けられ、この柱には、窓サッシの一側辺前方に位置するように入隅の一側面方向に沿って延出する物干し金具の固定用プレートが設けられ、入隅基端部から固定用プレートの基端部までの間に防水カバーが設けられるとともに、入隅の他側面側にはこの防水カバーの部位が切りかかれた切欠部を有する外壁パネルが設けられ、防水カバーと切欠部との間がシール剤で処理されてなることを特徴とする入隅における物干し金具固定構造。
【発明の詳細な説明】
【技術分野】
【０００１】
本発明は、住宅建物の入隅に設けられた窓サッシに物干し金具を固定する際の固定構造に関するものである。
【背景技術】
【０００２】
従来より、窓サッシの両側外壁部に物干し金具を設けることが行われている。
【０００３】
このような物干し金具は、窓サッシの側柱から専用の固定用プレートを延出させ、この固定用プレートに固定するようになされていた。
【０００４】
また、他の物干し金具としては、窓サッシ上の軒裏から吊り下げるようになされたものが知られている。
【特許文献１】特開２０００−３１７１９９号公報
【特許文献２】実用新案登録第３０８１１８０号公報
【発明の開示】
【発明が解決しようとする課題】
【０００５】
しかし、窓サッシの一側辺が、入隅構造柱に沿うようになされた窓構造において、物干し金具を取り付ける場合、次のような不都合を生じることとなる。
【０００６】
すなわち、入隅構造柱に固定用プレートを固定しなければならないので、窓サッシの一側辺と入隅構造柱との間に充分なスペースを確保出来ず、固定用プレートの施工作業が煩わしくなるといった不都合を生じる。また、入隅構造柱に固定用プレートを固定するため、この入隅構造柱から外壁の外側に延出される固定用プレートは、入隅構造柱に影響しないように充分に防水しておく必要があるが、窓サッシの一側辺と入隅構造柱との間には、充分な間隙が無いため、止水構造にすることができないといった不都合を生じる。
【０００７】
一方、軒裏から吊り下げるタイプの物干し金具の場合、物干し金具が常に吊り下がった状態なので見栄えが悪くなる。また、吊り下げるための軒がなければ取り付けることができない。
【０００８】
本発明は、係る実情に鑑みてなされたものであって、入隅に設けた窓サッシに好適な物干し金具の固定構造を提供することを目的としている。
【課題を解決するための手段】
【０００９】
上記課題を解決するための本発明の入隅における物干し金具の固定構造は、入隅の一側面に設けられた窓サッシの一側辺が、入隅構造柱に沿うようになされた入隅において、窓サッシの一側辺に物干し金具を固定する構造であって、入隅構造柱から入隅の他側面側に所定距離を隔てた位置に柱が設けられ、この柱には、窓サッシの一側辺前方に位置するように入隅の一側面方向に沿って延出する物干し金具の固定用プレートが設けられ、入隅基端部から固定用プレートの基端部までの間に防水カバーが設けられるとともに、入隅の他側面側にはこの防水カバーの部位が切りかかれた切欠部を有する外壁パネルが設けられ、防水カバーと切欠部との間がシール剤で処理されてなるものである。
【発明の効果】
【００１０】
以上述べたように、本発明によれば、入隅構造柱の他側面側に設けた柱に固定用プレートを設け、この固定用プレートの基端部から入隅基端部までは、防水カバーによって被覆するので、外壁パネルの切欠部との間のシール剤による防水処理も容易に行うことができ、しかも入隅の一側面側に設けられた窓サッシに対して他側面側に固定用プレートを設けるので、容易に施工作業を行うことができる。また、固定用プレートを窓サッシの一側辺前方に延出させるので、窓サッシとの一体感を持たせることができる。
【発明を実施するための最良の形態】
【００１１】
以下、本発明の実施の形態を図面を参照して説明する。
【００１２】
図１および図２は入隅１における物干し金具２の固定構造の全体構成を示し、図３は同要部を示している。
【００１３】
この入隅１における物干し金具２の固定構造は、入隅１の一側面１１に設けられた窓サッシ３の一側辺３１が、入隅構造柱１０に沿うようになされた入隅１において、窓サッシ３の一側辺３１に物干し金具２を固定する構造であって、入隅構造柱１０から入隅１の他側面１２側に所定距離を隔てた位置に柱１３が設けられ、この柱１３には、物干し金具２の固定用プレート４が設けられ、入隅１の基端部からこの固定用プレート４の基端部までの間に防水カバー５が設けられるとともに、入隅１の他側面１２側にはこの防水カバー５の部位が切りかかれた切欠部６１を有するサイディング材６が設けられ、防水カバー５と切欠部６１との間がシール剤７で処理されている。
【００１４】
物干し金具２は、図４に示すように、基端部２１に対して回動可能となされたアーム２２が設けられてなり、このアーム２２に設けられた孔２３や係止部２４に物干し竿（図示省略）を引っ掛けることができるようになされている。この物干し金具２は、図１に示すように、窓サッシ３の両側に設けられる。このうち、入隅１に設けられる物干し金具２は、長さが若干短く形成されており、施工完了状態で窓サッシ３の両側の物干し金具２の先端部が揃うようになされている。
【００１５】
窓サッシ３は、一側辺３１が入隅構造柱１０に沿うように、入隅１の一側面１１に設けられ、他側面１２との間に充分な間隙が無い状態に施工される。したがって、窓サッシ３の他側辺３２に設けられる物干し金具２は、サイディング材６の表面に基端部２１を当接して直接ビス固定することによって設けられるが、窓サッシ３の一側辺３１に設けられる物干し金具２は、以下のように、入隅１の他側面１２を利用して設けられる。
【００１６】
入隅１の他側面１２には、所定の距離（本実施の形態では２５０ｍｍ）を隔てた位置に、固定用プレート４を固定するための柱１３が設けられる。
【００１７】
この柱１３には、固定用プレート４の一端部４１を、固定するようになされている。この固定用プレート４は、板状に形成されており、一端部４１を柱１３に固定した状態で他端部４２が入隅１０の一側面１１と対向して水平方向に延出するようになされている。この固定用プレート４は、厚み方向に約１５ｍｍオフセットされている。したがって、一端部４１を柱１３に固定した状態で他端部４２が入隅構造柱１０側に約１５ｍｍ近づき、この固定用プレート４の他端部４２は、入隅１の一側面１１に設けた窓サッシ３の一側辺３１の手前に位置することとなる。この固定用プレート４を柱１３に固定した後、入隅１の他側面１２は、柱１３の表面に下地材１４が貼設され、下地材１４から固定用プレート４のみが露出した状態に仕上げられる。
【００１８】
防水カバー５は、図５に示すように、固定用プレート４と入隅構造柱１０との間隙に相当する幅で固定用プレート４の幅よりも若干長い高さで、外壁パネル６と略同じ２５ｍｍの厚みの断面略ハット状に形成されている。また、一方の高さ方向に沿って切り込み５１が形成されており、この切り込み５１に固定用プレート４が嵌まり込むようになされている。この防水カバー５は、切り込み５１に固定用プレート４を嵌まり込ませるようにして、この固定用プレート４と入隅構造柱１０との間に位置する下地材１４の表面に固定される。
【００１９】
固定用プレート４および防水カバー５は、耐候性に優れたアルミニウムなどの鋼製材料からなり、窓サッシ３と同色に形成されており、このように固定した状態で、窓サッシ３との一体感を出すことができるようになされている。
【００２０】
外壁パネル６は、上記した防水カバー５に相当する面積より一回り大きい面積の切欠部６１を有する板状に形成されており、この切欠部６１の部位に防水カバー５が位置するように下地材１４の表面に貼設される。そして、この切欠部６１と防水カバー５との間隙は、シール剤７を充填して処理される。シール剤７の処理後、固定用プレート４の他端部４２に物干し金具２が設けられる。
【００２１】
このようにして構成される物干し金具２の固定構造によると、入隅１の他側面１２に固定用プレート４や防水カバー５を設けて物干し金具２を取り付けるので、容易に施工作業を行うことができる。
【００２２】
また、固定用プレート４を設けた場合に施工が困難となる入隅１と固定用プレート４との間隙には、防水カバー５を設け、この防水カバー５と、サイディング材６に設けた切欠部６１との間をシール剤７で防水処理して仕上げるので、防水処理も容易に行うことができる。
【００２３】
しかも固定用プレート４は、構造柱ではなく、別途設けられた柱１３に固定するので、防水不良があったとしても、躯体である入隅構造柱１０が直接ダメージを受けることも無く、安全である。
【００２４】
さらに、固定用プレート４や防水カバー５は、入隅１の他側面１２側から設けることによって窓サッシ３の一側辺３１の直ぐ前方の位置に施工でき、しかも窓サッシ３と同色とすることによって一体感を持たせることができる。
【産業上の利用可能性】
【００２５】
住宅建物の入隅に沿った窓に物干し金具を固定する際に適用できる。
【図面の簡単な説明】
【００２６】
【図１】本発明に係る入隅における物干し金具固定構造の全体構成の概略を示す斜視図である。
【図２】図１の入隅部分の部分拡大斜視図である。
【図３】図２の水平断面図である。
【図４】物干し金具の全体構成の概略を示す斜視図である。
【図５】本発明に係る入隅における物干し金具固定構造に用いられる防水カバーの全体構成の概略を示す斜視図である。
【符号の説明】
【００２７】
１  入隅
１０  入隅構造柱
１１  一側面
１２  他側面
１３  柱
２  物干し金具
３  窓サッシ
３１  一側辺
４  固定用プレート
５  防水カバー
６  サイディング材（外壁パネル）
６１  切欠部
７  シール剤
【図１】
2005110900.tif 000003
【図２】
2005110900.tif 000004
【図３】
2005110900.tif 000005
【図４】
2005110900.tif 000006
【図５】
2005110900.tif 000007